(57)【要約】【課題】例えばプール等の利用者が使用中にも邪魔にならないように、プール水の全体を満遍なく清潔にするのを可能にし、また、清掃作業は単調かつ退屈で、楽しくないのを楽しめるようにする。【解決手段】汚染除去装置１００は、水を吸込む吸入口１と、水を吐出す排出口４と、魚の形状をし、汚染除去装置１００の筐体になる浮遊体５と、バラスト室１２とを有し、さらに水を吸引するスクリュウ３と、水中の異物を捕獲する捕獲室２と、モータ９と、モータ９の動力としての電池８と、を有する。【選択図】  図１
2006175417.tif 000002
【特許請求の範囲】
【請求項１】
流体を吸引する吸引装置と、上記流体の吸入口と排出口と、吸引された流体の異物を捕獲する捕獲装置と、浮遊体で形成した筐体と、からなる汚染除去装置において、
上記浮遊体は、アミューズメントの機能を有することを特徴とする浮遊型汚染除去装置。
【請求項２】
上記アミューズメントの機能は、浮遊体の形状、動き、色、絵文字、音、匂いで人間に対して視覚、聴覚、臭覚効果を与えることを特徴とする請求項１記載の浮遊型汚染除去装置。
【請求項３】
上記汚染除去装置は、環境改善物質を具備し、浮遊しながら流体中に拡散させることを特徴とする請求項１または請求項２記載の浮遊型汚染除去装置。
【請求項４】
上記汚染除去装置は、駆動手段と方向手段を有し、該駆動手段と方向手段によって所定方向に遊泳することを特徴とする請求項１乃至請求項３記載の浮遊型汚染除去装置。
【請求項５】
無線操作手段により遠隔操作で流体中を遊泳することを特徴とする請求項１乃至請求項４記載の浮遊型汚染除去装置。
【発明の詳細な説明】
【技術分野】
【０００１】  本発明は、汚染除去装置、特に水や空気の汚れを除去し、環境を改善するための装置に関する。
【背景技術】
【０００２】  従来、例えばプール、温泉、公共浴場、水族館等に於いて、水中の汚れ、異物等を回収するには、水槽の水を排水して清掃するしかなかった。
【発明の開示】
【発明が解決しようとする課題】
【０００３】  しかしながら、従来は次のような問題点がある。
清掃のために毎回水を排水するのでは、水資源の無駄となる。
水を入れ替えても、最初は清潔であるが、利用者が増えると汚れが進む。
プール等の使用中に邪魔にならない様に人手で全体を満遍なく清掃するのは困難である。
清掃作業は単調かつ退屈で、楽しくないと思われがちである。【０００４】  この発明の目的は、従来の問題を解決するためになされたもので、例えばプールの利用者が使用中にも邪魔にならない様に、プール水の全体を満遍なく清潔にするのを可能にする浮遊型汚染除去装置を提供し、また除去機能だけでなく、浮遊体の形状、動き、色、絵文字、音、匂い等が人間を楽しませる装置を提供することである。
【課題を解決するための手段】
【０００５】  本発明に係わる浮遊型汚染除去装置は、請求項１に記載のように、流体を吸引する吸引装置と、上記流体の吸入口と排出口と、吸引された流体の異物を捕獲する捕獲装置と、浮遊体で形成した筐体と、からなる汚染除去装置において、上記浮遊体は、アミューズメントの機能を有することを特徴とする。【０００６】  請求項２では、上記アミューズメントの機能は、浮遊体の形状、動き、色、絵文字、音、匂いで人間に対して視覚、聴覚、臭覚効果を与えることを特徴とする。【０００７】  請求項３では、上記汚染除去装置は、環境改善物質を具備し、浮遊しながら流体中に拡散させることを特徴とする。【０００８】  請求項４では、上記汚染除去装置は、駆動手段と方向手段を有し、該駆動手段と方向手段によって所定方向に遊泳することを特徴とする。【０００９】  請求項５では、無線操作手段により遠隔操作で流体中を遊泳することを特徴とする。
【発明の効果】
【００１０】  請求項１によれば、
流体を吸引する吸引装置と、上記流体の吸入口と排出口と、吸引された流体の異物を捕獲する捕獲装置と、浮遊体で形成した筐体と、からなる汚染除去装置において、上記浮遊体は、アミューズメントの機能を有するので、流体中を遊泳しながら流体中の異物等を吸引し、例えばプール等の利用者が使用中にも邪魔にならないようにプールを清潔にすることができ、水を入れ替える事無く清掃できるだけでなく、浮遊体のアミューズメントにより人間が快活になる効果を奏する。【００１１】  請求項２によれば、
上記アミューズメントの機能は、浮遊体の形状、動き、色、絵文字、音、匂いで人間に対して視覚、聴覚、臭覚効果を与えるので、形状、動き、色、音、匂いにより人間を癒したり、喜ばせたりするなど快活になることができ、またコンパクトにして玩具としても利用でき、さらに、絵文字による宣伝効果も期待できる。【００１２】  請求項３によれば、
汚染除去装置は、環境改善物質を具備し、浮遊しながら流体中に拡散させるので、例えば香りを発生する香料やカビ等を防止する除菌剤、人体に良い薬剤等の環境改善物質が流体中に拡散されることによって、水、空気の異物を除去するだけでなく、よりフレッシュな水、空気の環境を作り出すことができる。【００１３】  請求項４によれば、
汚染除去装置は、駆動手段と方向手段を有し、該駆動手段と方向手段によって所定方向に浮遊するので、流体中の全体を満遍なく遊泳し汚染を除去することができる。【００１４】  請求項５によれば、
無線操作手段により遠隔操作で流体中を遊泳するので、汚染除去装置を任意の場所に移動させることができ、また、例えば屋外のような空調が困難な場所でも自由に浮遊し空気をきれいにすることができる。
【発明を実施するための最良の形態】
【実施の形態１】
【００１５】  図１は、水中に浮遊している水中浮遊型汚染除去装置１００の外観図である。
汚染除去装置１００は、水を吸込む吸入口１と、水を吐出す排出口４と、魚の形状をし、汚染除去装置１００の筐体になる浮遊体５と、バラスト室１２と、を有している。
図２と図３は、それぞれ汚染除去装置１００の内部を示す側面図と平面図である。
図に示すように、汚染除去装置１００は、上記吸入口１と、排出口４と、浮遊体５と、バラスト室１２との他に、水を吸引するスクリュウ３と、水中の異物を捕獲する捕獲室２と、モータ９と、モータ９の動力としての電池８と、から構成されている。また、捕獲室２の前にフィルター６を設けて、上記スクリュウ３で吸入口１から周りの水を呼び込み、フィルター６によって異物を回収する。
上記モータ９の動力は、ギア室１０、シャフト１１を介して、その回転力は駆動手段のスクリュウ３と方向手段１のガイドの尾びれ７に伝達し、汚染除去装置１００を水中に左右前後、または水面や水底に遊泳させる。
方向手段２のバラスト室１２は、水と異なる比重の物質を積載する部屋で、積載物質の調整によって浮遊体５の水中での深度を調整する。
これによって、例えばプールや温泉の場合、汚染除去装置１００は、スクリュウ３と尾びれ７の動きで水中を安定に遊泳しながら、捕獲室２のフィルター６で水中の異物等を回収し、そして尾びれ７あるいはバラスト室１２の設定で、水中に前進、後退、回転、浮上、沈下等ができ、利用者が使用中にも邪魔にならないように水を清潔することができ、また浮遊体５は、魚の形になっているため、周囲の人間がこの遊泳しながら水を清掃している魚を見て、非常に喜び、また癒される。
ここで、吸入口１は汚染除去装置１００の上面に設けると記載したが、それに限らず、例えば底面側と上面側に設けて流体の底面と上面の異物を同時に回収することもできる。また、捕獲室２の前にフィルター６を設けると記載したが、ろ過パック等の物を組み込んで異物を収集し取り出せることもできる。
【実施の形態２】
【００１６】  図４は、空中に浮遊している空中浮遊型汚染除去装置２００の内部を示す。
汚染除去装置２００は、吸入口１、捕獲室２、流体を吸引する装置としてのスクリュウ３、排出口４、捕獲装置としてのエアフィルター１４と、ガイドとしての尾びれ７と、空飛ぶ魚の形を有する浮遊体５と、から構成されている。
方向手段３としての浮力室１３に空気より軽いガスを封入して空中に浮かぶ。
制御室１５とアンテナ１６を設けて、リモコンで地上からモータ９を動かす等して空飛ぶ魚の動きを遠隔制御する。
また、環境改善物質として香料粉１７を袋にいれ、排出口４からの空気流にて空中に香りを振りまく。
これによって、汚染除去装置２００は、空気中の異物を除去するだけでなく、香りによって人間に快適な臭覚効果を与えることができ、また無線で遠隔制御ができるので、任意の場所に移動して、例えば屋外のような空調が困難な場所でも自由に浮遊し空気をきれいにすることができる。
【実施の形態３】
【００１７】  図５は、空中浮遊型汚染除去装置３００の外観図である。
除去装置３００は、花模様で装飾した浮遊体５を有し、吸入口１から空気を吸い込み、内蔵された捕獲室２、流体を吸引する装置としてのスクリュウ３を通し、排出口４から排出する。排出口４に設けられた捕獲手段としてのエアフィルター１４により微細な異物を捕獲する。
方向手段３としての浮力室１３に空気より軽いガスを封入して空中に浮くんでおり、重し１８にて浮遊の高さを調整する。なお、紐１９を引っ張り、汚染除去装置３００を人手でも移動することができる。
これによって、汚染除去装置３００は、空中を安定に遊泳しながら空気中の異物等を吸引してろ過し、また装飾されている浮遊体５は形状、絵文字にて視覚効果を発揮させ、公衆の前で使用する場合は宣伝を兼ねた物としての効果もある。
ここで、アミューズメントの例としては魚、絵文字、匂いのことを記載したが、それに限らず、浮遊体の動きや色や音等、人間に快活させる方法があればよい。
【図面の簡単な説明】
【００１８】
【図１】  本発明の実施形態１における浮遊型汚染除去装置の水中浮遊型の外観図である。
【図２】  実施形態１における浮遊型汚染除去装置の水中浮遊型の側面図である。
【図３】  実施形態１における浮遊型汚染除去装置の水中浮遊型の平面図である。
【図４】  実施形態２における浮遊型汚染除去装置の空中浮遊型の側面図である。
【図５】  実施形態３における浮遊型汚染除去装置の空中浮遊型の外観図である。
【符号の説明】
【００１９】１  吸入口
２  捕獲室
３  スクリュウ
４  排出口
５  浮遊体
６  フィルター
７  尾びれ
８  電池
９  モータ
１０  ギア室
１１  シャフト
１２  バラスト室
１３  浮力室
１４  エアフィルター
１５  制御室
１６  アンテナ
１７  香料粉
１８  重し
１９  紐
【図１】
2006175417.tif 000003
【図２】
2006175417.tif 000004
【図３】
2006175417.tif 000005
【図４】
2006175417.tif 000006
【図５】
2006175417.tif 000007